(57)【要約】【課題】人が姿勢変更してもうまく対応でき、衣類の開口部が開いた状態を保つことが可能な介護用衣類を提供する。【解決手段】  被着用者の下肢を覆う一対の裾部と、下肢を覆う裾部に延設される股上部分とからなり、股上部分の下部の股部中心から背面側上方に向かって開口部を備えるとともに、各一端が被着用者の使用する簡易便器を備えた車椅子の側部の係止手段に係止可能で、他端が股上部分もしくは裾部の側部にそれぞれ係止され、開口部を開いた状態に保つ一対の紐を備えた構成を有する。【選択図】図１
2009256847.tif 000002
【特許請求の範囲】
【請求項１】
被着用者の下肢を覆う一対の裾部と、下肢を覆う裾部に延設される股上部分とからなり、前記股上部分の下部の股部中心から背面側上方に向かって開口部を備えるとともに、各一端が被着用者の使用する簡易便器を備えた車椅子の側部の係止手段に係止可能で、他端が前記股上部分もしくは裾部の側部にそれぞれ係止され、前記開口部を開いた状態に保つ一対の紐を備えた、介護用衣類。
【請求項２】
前記被着用者の使用する簡易便器は、
排泄物を受け入れ保持する便器と、
前記便器を支持する便器固定用ステーと、
前記便器固定用ステーを支持する支持手段と、
前記便器の開口を覆うとともに排泄物を通過させる貫通孔を供えた便器本体カバーと、
前記便器本体カバーの上方に設けられ前記便座の貫通孔に連通する局部口を供えた着座マットと、
前記便器に排泄パイプを介して接続された汚物タンクと、
洗浄水を前記便器内から前記便器本体カバーの貫通孔および前記着座マットの局部口を通過して上方に噴射可能な噴射ノズルと、
前記噴射ノズルに洗浄水を供給する洗浄水供給装置と、を含む簡易便器である、請求項１に記載の介護用衣類。
【発明の詳細な説明】
【技術分野】
【０００１】  本発明は、車椅子等に搭載可能な簡易便器の使用者等に適した介護用衣類に関するものである。
【背景技術】  従来、身体の不自由などの理由により、自分の排泄を自力で容易にできない人のために排泄機能を乗ったままできる特徴をもたせた車椅子のための簡易便器が存在する。一方老齢者等のためトイレで用便するときに、衣服の着脱の必要がないように、用便の姿勢時にズボンの下部が開くズボンやパンツなどの下半身用衣服が存在する。特許文献１の発明は、このような身体の不自由などの理由により、自分の排泄を自力で容易にできない人のために排泄機能を乗ったままできる目的のための車椅子あるいは簡易便器に係るものである。
【特許文献１】特開２００３−３１９９７５号公報
【発明の開示】
【発明が解決しようとする課題】
【０００２】  特許文献１に示すような構成においては、便器が車椅子に固定され、身体の不自由などの理由により、自分の排泄を自力で容易にできない人は、衣服の着脱の必要がないように、用便の姿勢時に衣類の下部が開くズボンを使用するが、長時間同じ姿勢を保つことが難しいため、衣類の下部開口部が開いた状態を維持できない場合が生じる。また、お尻の位置を自分で制御できない場合は、使用者の肛門の位置とズボンの開口部の位置が合わなくなる場合が生じる。このような場合には排泄物がうまく通過できず不具合を生じることがあった。
本発明は、上記の問題点を解決するためになされたものであり、さまざまな体型の人が姿勢変更してもうまく対応でき、衣類の開口部が開いた状態を保つことが可能な介護用衣類を提供することを目的とするものである。
【課題を解決するための手段】
【０００３】  以上の課題を解決するための本発明の介護用衣類は、被着用者の下肢を覆う一対の裾部と、下肢を覆う裾部に延設される股上部分とからなり、股上部分の下部の股部中心から背面側上方に向かって開口部を備えるとともに、各一端が被着用者の使用する簡易便器を備えた車椅子の側部の係止手段に係止可能で、他端が股上部分もしくは裾部の側部にそれぞれ係止され、開口部を開いた状態に保つ一対の紐を備えた、構成を有する。
【発明の効果】
【０００４】  本発明によれば、各一端が被着用者の使用する簡易便器を備えた車椅子の側部の係止手段に係止可能で、他端が股上部もしくは裾部の側部にそれぞれ係止され、開口部を開いた状態に保つ一対の紐を備えているので、さまざまな体型の人が姿勢変更してもうまく対応でき、衣類の開口部が開いた状態を保つことが可能な介護用衣類を提供することが可能となる。
【発明を実施するための最良の形態】
【０００５】（実施の形態）
本発明の実施の形態における介護用衣類について、図１を用いて説明する。図１は本発明の実施の形態における介護用衣類の背面図である。また、図２は同実施の形態における簡易便器の分解斜視図である。図１において、介護用衣類１００は、綿、化学繊維、あるいは絹などから選定された織布で成形され、被着用者の下肢を覆う一対の裾部１０１，１０２と、下肢を覆う裾部１０１，１０２に延設される股上部分１０３とからなり、股上部分１０３の下部の股部中心１０４から背面側上方１０５に向かって開口部１０６を備える。開口部１０６は点線１０７の部分で閉じることが可能なように充分な寸法に成形されている。また、各一端１０８が被着用者の使用する簡易便器（後に説明）を備えた車椅子等の側部の係止手段Ａ、Ｂに係止可能で、他端１０９が股上部分１０３もしくは裾部１０１，１０２の側部にそれぞれ係止され、被着用者が簡易便器を使用する間は開口部１０６を開いた状態に保つ一対の紐１１０を備えた構成となっている。【０００６】  次に、本実施の形態における簡易便器について図２により説明する。簡易便器１は、上方に開口し排泄物を受け入れ保持する便器２と、便器２を支持する便器固定用ステー３と、便器固定用ステー３を支持する支持手段４と、便器２の開口２ａを覆うとともに排泄物を通過させる貫通孔５を供えた便器本体カバー６と、便器本体カバー６の上方に設けられ、便座２の貫通孔２ａに連通する局部口７を供えた着座マット８と、便器２に排泄パイプ９を介して接続された汚物タンク１０と、洗浄水を便器２内から便器本体カバー６の貫通孔５および着座マット８の局部口７を通過して上方に噴射可能な噴射ノズルと、噴射ノズル１１に洗浄水を供給する洗浄水供給装置１２とを含み、着座マット８の局部口７を便器２の開口２ａより小さい開口面積とし、便器固定用ステー３は支持手段４に対しての相対位置が変更可能に支持手段４に支持されている。【０００７】  着座マット８の上には、局部口７と連通する穴１３を備え、着座マット８を覆う保護シート１４が載せられており、使用回数に応じて保護シート１４は取替え可能になっている。また、便器２の開口２ａの周辺部前方には、回動可能に配置され、回動することで排泄者の局部を覆う位置に停止可能な局部カバー１５がさらに設けられている。局部カバー１５には、取替え可能な保護カバー１６が着脱可能に設けられている。この局部カバー１５主に男性用として使用される構成となっており、使用しないときは取り外し可能な構造となっている。【０００８】  便器２内には、便器２内の排泄物を洗浄水により排泄パイプ９を介して接続された汚物タンク１０に流し込むための洗浄ノズル１７，１８，１９が設けられている。洗浄ノズル１７は便器２の前方に設けられており、前方から排泄物を排泄パイプ９に向けて洗い流す機能を有する。洗浄ノズル１７，１８，１９は、洗浄水供給装置１２の給水ポンプ１２ａにより給水管１２ｂを介して接続され、洗浄水タンク１２ｃからの線浄水を放出する構成となっている。また、噴射ノズル１１に対しても洗浄水供給装置１２の給水ポンプ１２ａにより給水管１２ｂを介して洗浄水が供給される。洗浄ノズル１８ａ，ｂは便器２の側方に設けられており、主に便器２の洗浄する機能を有する。洗浄ノズル１９ａ，ｂは便器２の後方に設けられており、後方から排泄物を浮き上がらせて排泄物の排出を助けるとともに、後方から便器２の前方の洗浄をする機能を有する。排泄パイプ９に向けて洗い流す役割をはたす。【０００９】  噴射ノズル１１は、使用者の後方側に設けられており、排泄者のでん部の穴に洗浄水を放射して洗浄する機能を有する。また通常は排泄者のでん部の肛門に洗浄水を放射して洗浄する機能を有するように上方へ向けて噴射可能なノズル構成となっているが、噴射ノズル１１は長手方向に中心軸の周りを回動可能に支持されており、噴射ノズル１１の回転のための回転モータ１１ｂにより回転する。この場合手動による回転でもよい。このように噴射ノズル１１からの洗浄水の噴射方向が上方または下方に可変に構成され、噴射ノズル１１からの洗浄水の噴射方向を下方に向けた場合には、便器２内の排泄物を洗浄可能な構成となっている。また、噴射ノズル１１の応用例として、図３に示すものは女性用ノズル１１ａを備え、噴射ノズル１１からの洗浄水の噴射方向を下方に向けた場合には、女性用ノズル１１ａが上方に向けられて、ビテ機能を有するノズルとなるよう構成されている。なお噴射ノズル１１からの洗浄水の噴射方向を上方に向けた場合には、女性用ノズル１１ａが下方に向けられるので、排泄者のでん部の肛門に洗浄水を放射して洗浄する機能を使う場合にもでん部への影響はない。【００１０】  次に、使用者のでん部を乾燥するための乾燥装置２１について説明する。乾燥装置２１は便器２の側部に接続されており、臭気吸入装置２２の空気ポンプ２３により汚物タンク１０の上方に設けた吸引口２４から臭気を含んだ空気を吸引し、防臭室２５、オゾン発生装置２６を介して除臭された空気を配管２１ａを介して便器２の開口２ａを貫通して使用者のでん部に向けて放出される構成となっている。
また前記洗浄ノズル１７，１８，１９，２０の洗浄水の放出、噴射ノズル１１の回転のための回転モータ１１ｂの制御は制御部２７のコンピュータ（図示せず）により行われ、使用者は使用者用コントローラ２８により洗浄ノズル１７，１８，１９，２０の洗浄水の放出、噴射ノズル１１の回転のための回転モータ１１ｂの制御操作が可能となっている。また、補助者等は補助者用コントローラ２９を用いて線浄水の吐出量、乾燥時間、などが使用者用コントローラ２８の機能に加えてさらに制御可能に構成されている。制御部２７はバッテリー３０により駆動されるが、充電器３１、直流変換器３２を介して１００ボルトＡＣ電源による使用、充電が可能な構成になっている。【００１１】  以上の簡易便器１における、着座マット８と便器２の開口２ａとの関係、および便器固定用ステー３と支持手段４との関係について図３を用いて説明する。図３は簡易便器１を備えた車椅子３３の平面図であり、着座マット８が斜線にて示されている図である。図３においては簡易便器１における着座マット８の局部口７が便器２の開口２ａより小さい開口面積であることが示されている。これは便器２の開口２ａより排泄物の臭いが漏れ出すのを最小限にとどめる役割をはたす。また、局部口７は使用者の体格等を考慮して大、中、小のものを容易することが可能である。【００１２】  次に、本発明の実施の形態における簡易便器が車椅子３３に搭載された例ついて、さらに図４を用いて説明する。図４は同実施の形態３における簡易便器１を搭載した車椅子３３の背面図である。図において、車椅子３３の下方の後方ステー３５上には汚物タンク１０と洗浄水供給装置１２が搭載される。便器２を固定した便器固定用ステー３が支持手段４に支持され、支持手段４は車椅子３３のフレームに対して固定される。便器２と汚物タンク１０との接続が排泄パイプ９により行われている。車椅子３３の手摺り３７には使用者用コントローラ２８が配置されている。【００１３】  また、車椅子３３の手摺り３７の上面には、介護用衣類１００の紐１１０の各一端１０８が係止される係止手段Ａ、Ｂとしてのフック状の金具が設けられており、被着用者の使用時には紐１１０の各一端１０８が結びつけなどにより固定される。そして被着用者の使用時には、紐１１０の他端１０９が股上部分１０３もしくは裾部１０１，１０２の側部にそれぞれ係止されているので、被着用者が簡易便器１を使用する場合は、紐１１０により張力が裾部１０１，１０２の側部に働き、開口部１０６が開き、かつ開いた状態に保つ構成となっている。
【産業上の利用可能性】
【００１４】  本発明によれば、さまざまな体型の人が姿勢変更してもうまく対応でき、衣類の開口部が開いた状態を保つことが可能な介護用衣類を提供することが可能となるので、介護分野、病院、身体障害者が働く工場、映画館、ホテルでの利用が可能である。
【図面の簡単な説明】
【００１５】
【図１】本発明の実施の形態における介護用衣類の背面図である。
【図２】本発明の実施の形態における簡易便器の分解斜視図である。
【図３】本発明の実施の形態における車椅子の平面図である。
【図４】同車椅子の背面図である。
【符号の説明】
【００１６】  １００  介護用衣類、１０１，１０２  一対の裾部、１０３  股上部分、１０４  股部中心、１０５  背面側上方、１０６  開口部、Ａ、Ｂ  係止手段、１１０  紐、１  簡易便器、２  便器、３  便器固定用ステー３、４  支持手段、５  貫通孔、６  便器本体カバー、７  局部口、８  着座マット、９  排泄パイプ、１０  汚物タンク、１１  噴射ノズル、１２  洗浄水供給装置、１３  局部口７と連通する穴、１４  保護シート１４、１５  局部カバー、１７，１８，１９，２０  洗浄ノズル、２１  乾燥装置。
【図１】
2009256847.tif 000003
【図２】
2009256847.tif 000004
【図３】
2009256847.tif 000005
【図４】
2009256847.tif 000006